(57)【要約】【課題】作業床の床面と幅木の隙間を防護する枠組足場用防護ネットを提供する。【解決手段】枠組足場１０は、作業床２と長手方向に連設される鋼製の幅木３を備える。作業床２は、帯状に延びる鋼製の長尺足場板２ａが長手方向に連設され、略水平状態に配置される。一対の対向する幅木３・３は、作業床２の長辺側の両縁部から略垂直方向に立設して、作業床２の両翼を防護する。防護ネット７は、帯状に延びて、作業床２と幅木３の間隙を覆うことができる。防護ネット７は、網目の細かい帯状のメッシュシート７１と一対の帯状のマグネット板７２・７２を有する。これらのマグネット板７２・７２は、メッシュシート７１の長辺側の両縁部に取り付けられている。一方のマグネット板７２を幅木３に吸着させ、他方のマグネット板７２を長尺足場板２ａに吸着させて、メッシュシート７１で作業床２と幅木３の間隙を覆うことができる。【選択図】図２
2011184978.tif 000002
【特許請求の範囲】
【請求項１】
帯状に延びる鋼製の長尺足場板が長手方向に連設されて、略水平状態に配置される作業床と、
この作業床の長辺側の両縁部から略垂直方向に立設して、当該作業床の両翼を防護する一対の対向する幅木であって、長手方向に連設される鋼製の幅木と、を備える枠組足場に取り付けられ、前記作業床と前記幅木の間隙を覆う、帯状に延びる長尺の枠組足場用防護ネットであって、
網目の細かい帯状のメッシュシートと、
前記メッシュシートの長辺側の両縁部に取り付けられた一対の帯状のマグネット板と、を備える枠組足場用防護ネット。
【請求項２】
長手方向に連設できるように相互に着脱可能な一対の面ファスナを前記メッシュシートの両端部に有する請求項１記載の枠組足場用防護ネット。
【請求項３】
前記面ファスナのフック面を前記メッシュシートの一方の面に有し、前記面ファスナのループ面を前記メッシュシートの他方の面に有する請求項２記載の枠組足場用防護ネット。
【請求項４】
前記メッシュシートは、屈曲容易な強靭性の繊維で織られている請求項１から３のいずれかに記載の枠組足場用防護ネット。
【発明の詳細な説明】
【技術分野】
【０００１】
本発明は、枠組足場用防護ネットに関する。特に、建物の外壁面に沿って建設現場に仮設され、複数の鋼管及び足場部材を組み合わせて階層的に構成する枠組足場用防護ネットの構造に関する。
【背景技術】
【０００２】
例えば、建設現場に仮設される枠組足場は、対向させた建枠の両側垂直面を「交差筋交い」で結合して枠組を補強すると共に、建枠を上方へ必要な高さだけ順次継ぎ足すことによって構築されている。
【０００３】
このような枠組足場では、作業用の部材を落下させると、階下の作業者や一般の通行人に対して危険であるので、部材を落下させても足場の外に落ちないようにするため、建物と反対側の外面に養生用ネット（又は、メッシュシート）を張設している。そして、養生用ネットは、枠組足場を組み上げた後に張設されていた。又、養生用ネットは、一定の高さの枠組足場を組み上げるごとに、張設されていた。
【０００４】
ところで、枠組足場を組み上げてから養生用ネットを張る方法は、養生用ネットを張るまでの間、部材の落下による事故が起きないように特に注意が必要であり、養生用ネットを張るまでは落下物の発生を防止することが困難である、という不具合があった。
【０００５】
このような不具合を解消するため、交差筋交いに養生用ネットを一体化し、枠組足場の組み立てと同時に養生用ネットを張設することができ、枠組足場における部材の落下発生を防止できるネット付き交差筋交いが開示されている（例えば、特許文献１参照）。
【先行技術文献】
【特許文献】
【０００６】
【特許文献１】特開平１１−８１６９２号公報
【発明の概要】
【発明が解決しようとする課題】
【０００７】
近年では、足場などから作業員が墜落又は転落することを未然に防止する対策が強化されている。そして、足場の種類に対応した墜落防止措置が労働安全衛生規則で義務付けられている。例えば、枠組足場では、交差筋交いの下部の隙間からの墜落を防止するため、交差筋交いに加え、「下さん」や「幅木」の設置が義務付けられている。又、「手すり枠」の設置も義務付けられている。
【０００８】
この規則により、枠組足場では、対向する一対の幅木が立設するように垂直方向に延びて、略水平面に敷設された作業床の長手方向の両縁に一対の幅木を配置している。これにより、交差筋交いの下部の隙間からの墜落防止を強化することができる。
【０００９】
一般に、このような幅木は、作業床として敷設された帯状に延びる鋼製の長尺足場板が使用（流用）されている。そして、複数の幅木が長手方向に連設されて、所定の長さを有する、一対の幅木に防護される作業床を有する枠組足場を構成していた。
【００１０】
しかしながら、このような一対の幅木に防護される作業床は、例えば、幅木の反りなどで、作業床の床面と幅木の間に間隙を生じることが多々あった。したがって、このような枠組足場は、作業員の墜落を防止することには有効であるが、小物の部材が前記の間隙から落下することを防止することは困難であった。
【００１１】
特許文献１による枠組足場も同様である。特許文献１による枠組足場は、部材の落下発生を張設されたネットで抑制することは可能であるが、小物の部材が前記の間隙から落下することを防止することは困難である。
【００１２】
作業床の床面と幅木の間隙から小物の部材が落下しないように、枠組足場を構成できれば、作業現場での安全が確保され、又、小物の部材を紛失しなくなるので、作業効率が改善される。そして、以上のことが本発明の課題といってよい。
【００１３】
本発明は、このような課題に鑑みてなされたものであり、作業床の床面と幅木の間隙から小物の部材が落下しないように、防護対策が施された枠組足場用防護ネットを提供することを目的とする。
【課題を解決するための手段】
【００１４】
本発明者は、作業床の床面と幅木の間隙に簡易に取り付け可能な防護ネットを枠組足場に備えることにより、この課題が解決可能なことを見出し、これに基づいて、以下のような新たな枠組足場用防護ネットを発明するに至った。
【００１５】
（１）本発明による枠組足場用防護ネットは、帯状に延びる鋼製の長尺足場板が長手方向に連設されて、略水平状態に配置される作業床と、この作業床の長辺側の両縁部から略垂直方向に立設して、当該作業床の両翼を防護する一対の対向する幅木であって、長手方向に連設される鋼製の幅木と、を備える枠組足場に取り付けられ、前記作業床と前記幅木の間隙を覆う、帯状に延びる長尺の枠組足場用防護ネットであって、網目の細かい帯状のメッシュシートと、前記メッシュシートの長辺側の両縁部に取り付けられた一対の帯状のマグネット板と、を備える。
【００１６】
（２）本発明による枠組足場用防護ネットは、長手方向に連設できるように相互に着脱可能な一対の面ファスナを前記メッシュシートの両端部に有することが好ましい。
【００１７】
（３）本発明による枠組足場用防護ネットは、前記面ファスナのフック面を前記メッシュシートの一方の面に有し、前記面ファスナのループ面を前記メッシュシートの他方の面に有することが好ましい。
【００１８】
（４）前記メッシュシートは、屈曲容易な強靭性の繊維で織られていることが好ましい。
【発明の効果】
【００１９】
本発明による枠組足場用防護ネットは、作業床と幅木の間隙を覆うので、この間隙から小物の部材が容易に落下しないよう防護できる。本発明による枠組足場用防護ネットは、一対の帯状のマグネット板を有し、作業床の床面及び幅木に着脱容易であり、便利である。
【図面の簡単な説明】
【００２０】
【図１】本発明の一実施形態による枠組足場用防護ネットが適用される枠組足場の構成を示す斜視図である。
【図２】前記実施形態による枠組足場用防護ネットの構成を示す斜視図であり、作業床を内部から観ている。
【図３】前記実施形態による枠組足場用防護ネットの平面図であり、防護ネットを一方の面から観ている。
【図４】前記実施形態による枠組足場用防護ネットの平面図であり、防護ネットを他方の面から観ている。
【図５】前記実施形態による枠組足場用防護ネットの正面図であり、一組の防護ネットの端部同士が結合する前の状態図である。
【発明を実施するための形態】
【００２１】
以下、図面を参照して本発明を実施するための形態を説明する。
［枠組足場の構成］
最初に、本発明の一実施形態による枠組足場用防護ネットが適用される枠組足場の構成を説明する。図１は、本発明の一実施形態による枠組足場用防護ネットが適用される枠組足場の構成を示す斜視図である。図２は、前記実施形態による枠組足場用防護ネットの構成を示す斜視図であり、作業床を内部から観ている。
【００２２】
図１又は図２を参照すると、実施形態による枠組足場１０は、複数の鋼管及び足場部材を組み合わせて階層的に構成している。枠組足場１０は、一対の鋼管を門型に溶接した複数の建枠１ａを備えている。実施形態による枠組足場１０は、建枠１ａを三段に積層している。最下段の建枠１ａには、ジャッキベース１１ａを設けている。最上段の建枠１ａには、手すり１２ａを設けている。
【００２３】
又、図１又は図２を参照すると、建物（図示せず）の外壁面に沿って、複数の建枠１ａを仮設している。実施形態による枠組足場１０は、六列の建枠１ａを仮設している。そして、列方向に対向する一対の建枠１ａ・１ａが交差筋交い１ｂで結合されて、枠組足場１０の枠組が補強されている。
【００２４】
図１又は図２を参照すると、枠組足場１０は、略水平状態に作業床２を配置している。実施形態による枠組足場１０は、作業床２を三段に階層している。実態として、作業床２は、列方向に対向する一対の建枠１ａ・１ａに敷設される、帯状に延びる鋼製の長尺足場板２ａで構成されている。
【００２５】
図２を参照すると、定尺の長尺足場板２ａが幅方向に三列に配置（敷設）され、作業床２は、所定幅の通路を確保している。更に、三列に配置された長尺足場板２ａは、長手方向にも連設されている。そして、作業床２は、所定の奥行きが確保されている。例えば、作業員は、作業床２を往来することもできる。
【００２６】
図１又は図２を参照すると、作業床２の長辺側の両縁部から略垂直方向に、一対の鋼製の幅木３・３を立設している。対向するこれらの幅木３・３は、作業床２の両翼を防護している。又、一対の幅木３・３は、それらの長手方向にも連設されている。これにより、一対の幅木３・３は、交差筋交い１ｂの下部の隙間からの墜落を防止できる。なお、図１では、一方の幅木３の図示を省略している。
【００２７】
図１又は図２を参照すると、幅木３の上方には、幅木３と略平行に「下さん４」を配置している。又、作業床２には、階上又は階下に作業員が移動可能な一組の階段枠５・６を設けている。
【００２８】
［枠組足場用防護ネットの構成］
次に、本発明の一実施形態による枠組足場用防護ネットの構成を説明する。図３は、前記実施形態による枠組足場用防護ネットの平面図であり、防護ネットを一方の面から観ている。図４は、前記実施形態による枠組足場用防護ネットの平面図であり、防護ネットを他方の面から観ている。図５は、前記実施形態による枠組足場用防護ネットの正面図であり、一組の防護ネットの端部同士が結合する前の状態図である。
【００２９】
図２を参照すると、枠組足場１０には、帯状に延びる長尺の枠組足場用防護ネット（以下、防護ネットと略称する）７が取り付けられている。防護ネット７は、作業床２と幅木３の間隙を覆うことができる。
【００３０】
図２から図５を参照すると、防護ネット７は、帯状のメッシュシート７１と一対の帯状のマグネット板７２・７２で構成されている。メッシュシート７１は、小物の部材が通過しない程度に、網目が細かくなっている。一対のマグネット板７２・７２は、メッシュシート７１の長辺側の両縁部に取り付けられている。
【００３１】
図３又は図４を参照すると、防護ネット７は、一対のマグネット板７２・７２をメッシュシート７１の長辺側の両縁部に例えば、接着剤で固定している。そして、一方のマグネット板７２を鋼製の幅木３に吸着させ、他方のマグネット板７２を鋼製の長尺足場板２ａに吸着させて、メッシュシート７１で作業床２と幅木３の間隙を覆うことができる（図２参照）。
【００３２】
図３又は図４を参照すると、マグネット板７２は、市販のマグネットシートを裁断して得ることもできる。マグネット板７２の長さは、定尺の長尺足場板２ａの長さに合わせることが好ましいが、メッシュシート７１の長辺側の両縁部にマグネット板７２を断続的に取り付けてもよい。
【００３３】
図３又は図４を参照すると、防護ネット７は、一対の面ファスナ７３・７３をメッシュシート７１の両端部に有している。面ファスナ７３は、メッシュシート７１の端部を縁取りするように取り付けられている。面ファスナ７３は、メッシュシート７１の縁に接着してもよく、縫製してもよい。防護ネット７は、その端部に面ファスナ７３を有しているので、長手方向に延びるように連設できる（図５参照）。
【００３４】
図５を参照すると、防護ネット７は、面ファスナ７３のフック面７３ａをメッシュシート７１の一方の面に有している。一方、防護ネット７は、面ファスナ７３のループ面７３ｂをメッシュシート７１の他方の面に有している。したがって、フック面７３ａとループ面７３ｂを相互に押し付けて、一組の防護ネット７・７の端部同士を容易に貼り合わせることができる。又、力を加えて、一組の防護ネット７・７の端部同士を剥がすこともできる。
【００３５】
なお、面ファスナのフック面とは、本体となる布の片面に複数のフック状の起毛を植設している表出面を意味している。一方、面ファスナのループ面とは、本体となる布の片面に複数のループ状の起毛を密集して植設している表出面を意味している。
【００３６】
図３又は図４を参照すると、メッシュシート７１は、屈曲容易な強靭性の繊維で格子状に織られている。強靭性の繊維とは、靭性の高い繊維であってよく、スチール繊維、カーボン繊維、ガラス繊維、ポリエステルやアラミド繊維などの有機繊維、その他の繊維を含むことができる。
【００３７】
［枠組足場用防護ネットの作用］
次に、実施形態による防護ネット７の作用及び効果を説明する。図２を参照すると、実施形態による防護ネット７は、作業床２と幅木３の間隙を覆うので、この間隙から小物の部材が容易に落下しないよう防護することができる。防護ネット７は、一対の帯状のマグネット板７２・７２を有しているので、作業床２の床面を構成する鋼製の長尺足場板２ａ及び鋼製の幅木３に容易に着脱できる。
【００３８】
図２から図５を参照すると、防護ネット７は、相互に着脱可能な一対の面ファスナ７３・７３をメッシュシート７１の両端部に有するので、作業床２の長手方向に容易に連設できる（継ぎ足すことができる）。
【００３９】
図３から図５を参照すると、防護ネット７は、面ファスナ７３のフック面７３ａをメッシュシート７１の一方の面に有し、面ファスナ７３のループ面７３ｂをメッシュシート７１の他方の面に有するので、メッシュシート７１のいずれかの面を外面として、防護ネット７を枠組足場１０に取り付けることができる。
【００４０】
図２から図５を参照すると、メッシュシート７１は、屈曲容易な強靭性の繊維で織られているので、図３に示すように、メッシュシート７１を張設してもよく、メッシュシート７１の一部が幅木３及び長尺足場板２ａに接触するように、メッシュシート７１を湾曲して配置することもできる。
【００４１】
実施形態による防護ネット７は、作業床２の床面と幅木３の間隙から小物の部材が落下しないように構成しているので、作業現場での安全が確保され、又、小物の部材を紛失しなくなるので、作業効率が改善される。
【００４２】
本発明による枠組足場用防護ネットは、その適用が実施形態による枠組足場に限定されない。実施形態による枠組足場用防護ネットは、単管足場などの他の足場にも適用できる。
【符号の説明】
【００４３】
２  作業床
２ａ  長尺足場板
３  幅木
７  防護ネット（枠組足場用防護ネット）
１０  枠組足場
７１  メッシュシート
７２  マグネット板
【図１】
2011184978.tif 000003
【図２】
2011184978.tif 000004
【図３】
2011184978.tif 000005
【図４】
2011184978.tif 000006
【図５】
2011184978.tif 000007